(57)【要約】【課題】安価で、デジタルラジオ放送波信号の復調を極力長く維持することができるラジオ放送受信機を提供する。【解決手段】ローＩＦチューナ１００は、ＩＢＯＣ方式のラジオ放送波信号における受信チャンネルの搬送波信号をローＩＦのＩＦ信号に変換する。ＨＤラジオデコーダ３００はＩＦ信号に含まれるデジタルラジオ放送の搬送波信号を復調して第１のオーディオデータを出力する。アナログ放送復調部７はＩＦ信号に含まれるアナログラジオ放送の搬送波信号を復調して第２のオーディオデータを出力する。制御部１３は受信状態検出データに基づいてデジタルラジオ放送の受信状態を判定し、ローＩＦチューナ１００における発振のモードを切り換えるよう制御する。【選択図】図１
2010177790.tif 000002
【特許請求の範囲】
【請求項１】
ＩＢＯＣ方式のラジオ放送波信号における受信チャンネルの同調周波数に対して所定の値を加算した第１の局部発振周波数の信号と前記同調周波数に対して前記所定の値を減算した第２の局部発振周波数の信号とのいずれかを選択的に出力するローＩＦ方式の発振器を有し、前記発振器を前記第１の局部発振周波数の信号を出力する第１のモードと前記第２の局部発振周波数の信号を出力する第２のモードとの内の一方のモードで動作させて、前記受信チャンネルの搬送波信号をローＩＦのＩＦ信号に変換して出力するローＩＦチューナと、
前記ＩＦ信号に含まれるデジタルラジオ放送の搬送波信号をデコードして第１のオーディオデータを出力するＨＤラジオデコーダと、
前記ＩＦ信号に含まれるアナログラジオ放送の搬送波信号を復調して第２のオーディオデータを出力するアナログ放送復調部と、
前記第１のオーディオデータと前記第２のオーディオデータとを切り換えて出力するスイッチ部と、
前記スイッチ部が前記第１のオーディオデータを出力している際に、前記デジタルラジオ放送の受信状態を直接的または間接的に示す受信状態検出データに基づいて前記デジタルラジオ放送の受信状態を判定し、前記受信状態の判定結果に基づいて、前記ローＩＦチューナにおける前記モードを、前記第１のモードと前記第２のモードとの内の他方のモードに切り換えるよう制御する制御部と
を備えることを特徴とするラジオ放送受信機。
【請求項２】
前記受信状態検出データとして、前記ＨＤラジオデコーダから得られるオーディオ・アクワイア，DAAI，プログラムタイプ，SIS_CRC，Ｓ／Ｎ，Ｃ／Ｎの内の少なくとも１つを用いることを特徴とする請求項１記載のラジオ放送受信機。
【請求項３】
前記受信状態検出データとして、前記アナログ放送復調部から得られる電界強度，マルチパスノイズレベル，隣接妨害レベル，ＩＦカウント値の内の少なくとも１つを用いることを特徴とする請求項１または２に記載のラジオ放送受信機。
【請求項４】
前記制御部が前記ローＩＦチューナにおける前記モードを切り換える際に、前記第１のオーディオデータを一時的に減衰させる減衰器を備えることを特徴とする請求項１ないし３のいずれか１項に記載のラジオ放送受信機。
【請求項５】
前記スイッチ部はミキサを有し、
前記ＨＤラジオデコーダと前記ミキサとの間に設けられ、前記第１のオーディオデータが入力される第１の減衰器と、
アナログ放送復調部と前記ミキサとの間に設けられ、前記第２のオーディオデータが入力される第２の減衰器と
をさらに備え、
前記スイッチ部が前記第１のオーディオデータから前記第２のオーディオデータへと切り換える際に、前記ミキサは前記第１及び第２の減衰器によって前記第１及び第２のオーディオデータをクロスフェード処理したデータを出力し、
前記第１の減衰器は、前記制御部が前記ローＩＦチューナにおける前記モードを切り換える際に、前記第１のオーディオデータを一時的に減衰させることを特徴とする請求項１ないし３のいずれか１項に記載のラジオ放送受信機。
【発明の詳細な説明】
【技術分野】
【０００１】
本発明は、ＩＢＯＣ（In Band On Channel）方式のラジオ放送を受信するラジオ放送受信機に関する。
【背景技術】
【０００２】
米国では、ＦＭまたはＡＭのアナログラジオ放送波信号の上側波帯及び下側波帯にデジタル放送波信号を付加したＩＢＯＣ方式のラジオ放送が普及している。このアナログラジオ放送とデジタルラジオ放送とが混在したラジオ放送は、ＨＤ（High Definition）ラジオと称されている。ＨＤラジオを受信するラジオ放送受信機（以下、ＨＤラジオ放送受信機と称することがある）においては、デジタルラジオ放送を受信可能なエリアではデジタルラジオ放送波信号を復調した信号を出力し、デジタルラジオ放送を受信できないエリアではアナログラジオ放送波信号を復調した信号を出力するように構成されている（例えば、特許文献１参照）。
【先行技術文献】
【特許文献】
【０００３】
【特許文献１】特開２００４−３４９８０５号公報
【発明の概要】
【発明が解決しようとする課題】
【０００４】
ＨＤラジオ放送受信機はアナログラジオ放送のみを受信するラジオ放送受信機と比較して高価になってしまうので、回路構成を極力簡略化することによってＨＤラジオ放送受信機を安価にすることが望まれる。また、デジタルラジオ放送波信号を復調した信号の方がアナログラジオ放送波信号を復調した信号よりも高音質であるので、例えばＨＤラジオ放送受信機を搭載した自動車がデジタルラジオ放送を受信可能なエリアから受信できないエリアへと移動する際には、できるだけ長くデジタルラジオ放送波信号を復調して音声信号を出力する状態を維持することが望まれる。
【０００５】
本発明はこのような要望に対応するためになされたものであり、安価で、デジタルラジオ放送波信号の復調を極力長く維持することができるラジオ放送受信機を提供することを目的とする。
【課題を解決するための手段】
【０００６】
本発明は、上述した従来の技術の課題を解決するため、ＩＢＯＣ方式のラジオ放送波信号における受信チャンネルの同調周波数に対して所定の値を加算した第１の局部発振周波数の信号と前記同調周波数に対して前記所定の値を減算した第２の局部発振周波数の信号とのいずれかを選択的に出力するローＩＦ方式の発振器（４）を有し、前記発振器を前記第１の局部発振周波数の信号を出力する第１のモードと前記第２の局部発振周波数の信号を出力する第２のモードとの内の一方のモードで動作させて、前記受信チャンネルの搬送波信号をローＩＦのＩＦ信号に変換して出力するローＩＦチューナ（１００）と、前記ＩＦ信号に含まれるデジタルラジオ放送の搬送波信号をデコードして第１のオーディオデータを出力するＨＤラジオデコーダ（３００）と、前記ＩＦ信号に含まれるアナログラジオ放送の搬送波信号を復調して第２のオーディオデータを出力するアナログ放送復調部（７）と、前記第１のオーディオデータと前記第２のオーディオデータとを切り換えて出力するスイッチ部（９）と、前記デジタルラジオ放送の受信状態を直接的または間接的に示す受信状態検出データに基づいて前記デジタルラジオ放送の受信状態を判定し、前記受信状態の判定結果に基づいて、前記ローＩＦチューナにおける前記モードを、前記第１のモードと前記第２のモードとの内の他方のモードに切り換えるよう制御する制御部（１３）とを備えることを特徴とするラジオ放送受信機を提供する。
【０００７】
前記受信状態検出データとして、前記ＨＤラジオデコーダから得られるオーディオ・アクワイア，DAAI，プログラムタイプ，SIS_CRC，Ｓ／Ｎ，Ｃ／Ｎの内の少なくとも１つを用いることが好ましい。また、前記受信状態検出データとして、前記アナログ放送復調部から得られる電界強度，マルチパスノイズレベル，隣接妨害レベル，ＩＦカウント値の内の少なくとも１つを用いることもできる。
【０００８】
前記制御部が前記ローＩＦチューナにおける前記モードを切り換える際に、前記第１のオーディオデータを一時的に減衰させる減衰器（９１）を備えることが好ましい。
【０００９】
また、前記スイッチ部はミキサ（９３）を有し、前記ＨＤラジオデコーダと前記ミキサとの間に設けられ、前記第１のオーディオデータが入力される第１の減衰器（９１）と、アナログ放送復調部と前記ミキサとの間に設けられ、前記第２のオーディオデータが入力される第２の減衰器（９２）とをさらに備え、前記スイッチ部が前記第１のオーディオデータから前記第２のオーディオデータへと切り換える際に、前記ミキサは前記第１及び第２の減衰器によって前記第１及び第２のオーディオデータをクロスフェード処理したデータを出力し、前記第１の減衰器は、前記制御部が前記ローＩＦチューナにおける前記モードを切り換える際に、前記第１のオーディオデータを一時的に減衰させることが好ましい。
【発明の効果】
【００１０】
本発明のラジオ放送受信機によれば、安価とすることができ、デジタルラジオ放送波信号の復調を極力長く維持することができる。
【図面の簡単な説明】
【００１１】
【図１】本発明の一実施形態を示すブロック図である。
【図２】ＩＢＯＣ方式のラジオ放送波信号の搬送波の概略を示す図である。
【図３】デジタルラジオ放送の音声信号からアナログラジオ放送の音声信号への切り換わりを説明するための図である。
【図４】ローＩＦチューナの発振器のモード切り換えの具体的動作を説明するための図である。
【発明を実施するための形態】
【００１２】
以下、本発明のラジオ放送受信機について、添付図面を参照して説明する。図１は、本発明のラジオ放送受信機の一実施形態を示すブロック図である。図１において、アンテナ１はＩＢＯＣ方式のラジオ放送波信号の電波を受信する。アンテナ１によって取り込まれたラジオ放送波信号はローノイズ・アンプ２によって増幅され、ミキサ３へと供給される。
【００１３】
ここで、図２を用いて、ＩＢＯＣ方式のラジオ放送波信号の搬送波の概略について説明する。ここでは、ＦＭ放送の搬送波を例とする。図２（Ａ）は、アナログラジオ放送波信号の上側波帯及び下側波帯にデジタル放送波信号を付加した、いわゆるハイブリッド方式の周波数スペクトラムを示している。ＦＭ放送のＨＤラジオ放送においては、２００kHz毎に放送局の搬送波信号が存在している。図２（Ａ）に示すように、１つの放送局（チャンネル）の搬送波信号は、アナログラジオ放送の搬送波信号Ｓca（以下、アナログ搬送波Ｓca）の上側波帯及び下側波帯にデジタルラジオ放送の搬送波信号Ｓcd（以下、デジタル搬送波Ｓcd）が付加された状態となっている。図２（Ａ）及び後述する図２（Ｂ）において、横軸は周波数、縦軸は電力である。
【００１４】
アナログ搬送波Ｓcaの中心周波数を０kHzとすると、上側波帯のデジタル搬送波Ｓcdは１２９kHz〜１９９kHzの範囲に位置し、下側波帯のデジタル搬送波Ｓcdは−１２９kHz〜−１９９kHzの範囲に位置している。デジタル搬送波Ｓcdは直交周波数分割変調（ＯＦＤＭ）を用いた搬送波信号となっている。
【００１５】
図２（Ｂ）は、１つの放送局（チャンネル）の搬送波信号を全てデジタルラジオ放送に割り当てた、いわゆる全デジタル方式の周波数スペクトラムを示している。全デジタル方式においては、副デジタル（Secondary Digital）搬送波Ｓsdの上側波帯及び下側波帯に主デジタル（Primary Digital）搬送波Ｓpdが付加された状態となっている。副デジタル搬送波Ｓsdの中心周波数を０kHzとすると、上側波帯の主デジタル搬送波Ｓpdは１０１kHz〜１９９kHzの範囲に位置し、下側波帯の主デジタル搬送波Ｓpdは−１０１kHz〜−１９９kHzの範囲に位置している。
【００１６】
本実施形態おいては、図２（Ａ）に示すハイブリッド方式の搬送波信号を受信して復調する場合について説明するが、図２（Ｂ）に示す全デジタル方式の搬送波信号を受信して復調してもよい。但し、全デジタル方式の搬送波信号を受信して復調する場合には、アナログラジオ放送の音声信号は出力されないことは当然である。
【００１７】
図１に戻り、発振器４はローＩＦ方式の発振器であり、受信しようとするＦＭ放送のチャンネルの周波数（同調周波数）に対応させて発振した局部発振信号を発生する。例えば受信しようとするチャンネルの周波数が９７．９MHzであるとすると、発振器４はＰＬＬ回路を用いて、例えば９７．９MHz＋３００kHzまたは９７．９MHz−３００kHzのいずれかの局部発振周波数の信号を発生する。ここでは発振器４は、初期状態（通常状態）では受信しようとするチャンネルの周波数に対して３００kHzを加算した局部発振周波数の信号を発生することとする。受信しようとするチャンネルの周波数に対して３００kHzを減算した局部発振周波数の信号を発生させる状態を初期状態（通常状態）としてもよい。
【００１８】
通常のＩＦ方式では受信しようとするチャンネルの周波数に対して例えば１０．７MHzのようなMHzオーダーの値を加算または減算した局部発振周波数の信号を発生させるのに対し、ローＩＦ方式では受信しようとするチャンネルの周波数に対してkHzオーダーの数百kHzを加算または減算した局部発振周波数の信号を発生させる。ローＩＦ方式の発振器４を用いることにより回路構成を簡略化することができるので、本実施形態のラジオ放送受信機は、ローＩＦではない通常のラジオ放送受信機と比較して安価とすることができる。
【００１９】
発振器４より出力された局部発振周波数の信号はミキサ３に入力される。ミキサ３は、受信しようとするチャンネルの周波数の信号と局部発振周波数の信号とを混合することによって、受信しようとするチャンネルの搬送波信号を、３００kHzを中心周波数とするローＩＦのＩＦ信号に変換して出力する。発振器４が９７．９MHz＋３００kHzを発振する場合には、ミキサ３は、（９７．９MHz＋３００kHz）−９７．９MHzを計算することによって３００kHzのＩＦ信号を発生することができ、発振器４が９７．９MHz−３００kHzを発振する場合には、ミキサ３は、９７．９MHz−（９７．９MHz−３００kHz）を計算することによって３００kHzのＩＦ信号を発生することができる。
【００２０】
ミキサ３より出力されたＩＦ信号はバンドバスフィルタ（ＢＰＦ）５に入力され、バンドバスフィルタ５によって図２（Ａ）で説明したアナログ搬送波Ｓca及びデジタル搬送波Ｓcdを含む信号が抽出される。本実施形態においては、ローノイズ・アンプ２，ミキサ３，発振器４，バンドバスフィルタ５の部分は、フロントエンド集積回路１００として構成されている。フロントエンド集積回路１００はローＩＦチューナであり、本実施形態のラジオ放送受信機はローＩＦチューナを用いたラジオ放送受信機である。
【００２１】
操作部１４に設けられている図示していないチャンネル切り換えボタンを操作すると、チャンネル切り換え信号は制御部１３に入力される。制御部１３はマイクロコンピュータによって構成することができる。制御部１３は、受信しようとするチャンネルの周波数に対応した局部発振信号を発生するよう発振器４を制御する。これによって、フロントエンド集積回路（ローＩＦチューナ）１００は、複数のチャンネルの内、受信しようとするいずれかのチャンネルのアナログ搬送波Ｓca及びデジタル搬送波Ｓcdを含む搬送波信号を出力することができる。
【００２２】
バンドバスフィルタ５より出力されたアナログ搬送波Ｓca及びデジタル搬送波Ｓcdを含む搬送波信号は、バックエンド集積回路２００に入力される。バックエンド集積回路２００内の入力処理部６はＩ／Ｑ訂正を行って、上側波帯と下側波帯の少なくとも一方のデジタル搬送波Ｓcdより抽出したＯＦＤＭのＩ／Ｑ信号ＳＩ／Ｑを抽出する。信号ＳＩ／ＱはＨＤラジオデコーダ３００に入力される。また、入力処理部６は入力された搬送波信号に対してＡＧＣ（自動ゲイン制御）を施してアナログ放送復調部７に供給する。アナログ放送復調部７はアナログ搬送波Ｓcaの信号を復調して、アナログラジオ放送の左右（Ｌ，Ｒ）の音声信号の元となるオーディオデータを出力する。アナログ放送復調部７は、アナログラジオ放送の受信状態を検出するアナログ放送受信状態検出部７１を備える。
【００２３】
アナログ放送復調部７より出力されたオーディオデータはＡ／Ｄ変換器８に入力されてＡ／Ｄ変換され、デジタル信号のオーディオデータＳad1として出力される。オーディオデータＳad1はスイッチ部９内の減衰器（ＡＴＴ）９２に入力される。
【００２４】
ＨＤラジオデコーダ３００は、ＯＦＤＭ復調部３０１と各種の信号処理を施す信号処理部３０２とを備えている。ＯＦＤＭ復調部３０１は、入力された信号ＳＩ／ＱをＯＦＤＭ復調する。信号処理部３０２は、ＯＦＤＭ復調した信号に基づいて各種の信号処理を施し、デジタルラジオ放送の左右の音声信号の元となるオーディオデータＳdd1を出力する。オーディオデータＳdd1はＩ２Ｓと称される形式のデジタルオーディオデータである。信号処理部３０２はメモリ３０２１を有しており、所定期間のオーディオデータＳdd1を保持して出力するようになっている。
【００２５】
ＨＤラジオデコーダ３００より出力されたオーディオデータＳdd1はスイッチ部９内の減衰器（ＡＴＴ）９１に入力される。デジタルラジオ放送を受信可能なエリアでは、スイッチ部９は、減衰器９２の減衰度を最大にしてアナログラジオ放送のオーディオデータＳad1を０に減衰させると共に、減衰器９１の減衰度を最小（０）にしてデジタルラジオ放送のオーディオデータＳdd1を非減衰で出力する。これによって、スイッチ部９内のミキサ９３はオーディオデータＳdd1のみを出力する。一方、デジタルラジオ放送を受信できず、アナログラジオ放送しか受信できないエリアでは、スイッチ部９は、減衰器９１の減衰度を最大とすると共に、減衰器９２の減衰度を最小にしてアナログラジオ放送のオーディオデータＳad1を非減衰で出力する。これによって、ミキサ９３はオーディオデータＳad1のみを出力する。
【００２６】
例えば本実施形態のラジオ放送受信機が車載用でデジタルラジオ放送を受信可能なエリアから受信できないエリアへと移動した場合には、スイッチ部９は、デジタルラジオ放送を受信可能なエリアと受信できないエリアとの境界付近で次のような処理を行う。即ち、スイッチ部９は、図３に示すように、オーディオデータＳdd1を減衰器９１で順次フェードアウトさせると共に、オーディオデータＳad1を減衰器９２で順次フェードインさせるクロスフェード処理を行う。従って、デジタルラジオ放送の受信・復調からアナログラジオ放送の受信・復調への切り換わり時には、ミキサ９３からはオーディオデータＳdd1，Ｓad1が相補的に混合された状態で出力される。減衰器９２の減衰度をαとすると、減衰器９１の減衰度は（１−α）となっている。オーディオデータＳdd1のみの出力時と、オーディオデータＳdd1，Ｓad1の相補的な混合時と、オーディオデータＳad1のみの出力時とで、ミキサ９３からのデータの出力レベルは一定となる。
【００２７】
これにより、デジタルラジオ放送の受信・復調からアナログラジオ放送の受信・復調へと切り換わる際に音が途切れることがなく、聴取者は、デジタルラジオ放送からアナログラジオ放送への切り換わりを意識することなく、ラジオ放送を聴取することができる。図３では、デジタルラジオ放送の受信・復調からアナログラジオ放送の受信・復調へと切り換わりついて示したが、アナログラジオ放送の受信・復調からデジタルラジオ放送の受信・復調へと切り換わりについても同様である。
【００２８】
なお、スイッチ部９は、ＨＤラジオデコーダ３００より供給されるデジタルラジオ放送をデコードしているか否かを示す検出信号Ｓddetに応じてデジタルラジオ放送のオーディオデータＳdd1とアナログラジオ放送のオーディオデータＳad1とを切り換える。検出信号Ｓddetがハイであればデジタルラジオ放送をデコードしているのでオーディオデータＳdd1を出力する。検出信号Ｓddetがローになったらデジタルラジオ放送をデコードできなくなったことを意味するので、オーディオデータＳdd1からオーディオデータＳad1へとクロスフェード処理を行いつつ切り換える。上記のようにメモリ３０２１は所定期間の音声信号を保持して出力するようになっているので、検出信号Ｓddetがローになった後でもメモリ３０２１からはクロスフェード処理を行うに十分なオーディオデータＳdd1が出力される。
【００２９】
スイッチ部９より出力されたオーディオデータＳdd1，Ｓad1のいずれか一方または両者を混合したデータは、Ｄ／Ａ変換器１０に入力されてＤ／Ａ変換され、アナログの左右の音声信号として出力される。左右の音声信号はアンプ１１を介して左右のスピーカ１２Ｌ，１２Ｒへと供給されて発音される。
【００３０】
本実施形態のラジオ受信機は、前述のようにローＩＦチューナを用いているので、ラジオ放送受信機を安価とすることができるものの、受信しようとするチャンネルの隣接チャンネルや、隣接チャンネルの隣接チャンネルからの折り返し妨害が受信しようとするチャンネルのデジタル搬送波Ｓcdを抑圧しやすい。デジタルラジオ放送を受信可能なエリアと受信できないエリアとの境界付近では、デジタル搬送波Ｓcdの抑圧の影響により本来であればデジタルラジオ放送を受信可能なエリアであってもアナログラジオ放送へと切り換わってしまうことが起こり得る。
【００３１】
そこで、本実施形態のラジオ受信機においては、デジタルラジオ放送を受信可能なエリアと受信できないエリアとの境界付近でデジタルラジオ放送からアナログラジオ放送へと切り換わる際に、できるだけ長くデジタルラジオ放送の受信・復調を維持するため、次のように構成している。図１において、アナログ放送復調部７内のアナログ放送受信状態検出部７１は、アナログ搬送波Ｓcaの受信状態を示す受信状態検出データを制御部１３に供給する。受信状態検出データは、例えば、Ｓメータ検出器によって検出する電界強度、マルチパスノイズレベル、隣接妨害レベル、同調周波数と局部発振周波数との誤差を示すＩＦカウント値である。これらのデータはバックエンド集積回路２００からセンサデータとして得ることができる。
【００３２】
制御部１３はアナログ放送受信状態検出部７１からの受信状態検出データを所定時間毎に確認する。まず、受信状態検出データとして電界強度を用いた場合について説明すると、電界強度が所定のしきい値より小さければ、アナログ搬送波Ｓcaの受信が困難な状態であり、従って、デジタル搬送波Ｓcdの受信も困難な状態と推定できる。上記のように、フロントエンド集積回路１００の発振器４は、同調周波数に対して３００kHzを加算した局部発振周波数の信号を出力するＯＳＣ（＋）モードで動作している。ある時点での電界強度をＦｉ0とし、電界強度Ｆｉ0が所定のしきい値より小さくなったら、制御部１３は、同調周波数に対して３００kHzを減算した局部発振周波数の信号を出力するＯＳＣ（−）モードとするよう発振器４を制御する。
【００３３】
発振器４をＯＳＣ（−）モードに切り換えてアナログ搬送波Ｓcaを受信・復調させた状態での電界強度をＦｉ1とすると、電界強度Ｆｉ1が電界強度Ｆｉ0よりも強ければ、切り換えた後のＯＳＣ（−）モードの方がデジタル搬送波Ｓcdの受信状態が良好であると推定できるので、ＯＳＣ（−）モードを維持する。電界強度Ｆｉ1が電界強度Ｆｉ0よりも強くなければ、切り換え前のＯＳＣ（＋）モードの方が好ましいので、制御部１３は、ＯＳＣ（＋）モードに戻すよう発振器４を制御する。
【００３４】
受信状態検出データとしてマルチパスノイズレベルを用いた場合、マルチパスノイズレベルが所定のしきい値より大きければ、アナログ搬送波Ｓcaの受信が困難な状態であり、従って、デジタル搬送波Ｓcdの受信も困難な状態と推定できる。ある時点でのマルチパスノイズレベルをＬmp0とし、マルチパスノイズレベルＬmp0が所定のしきい値より大きくなったら、制御部１３はＯＳＣ（＋）モードからＯＳＣ（−）モードに切り換えるよう発振器４を制御する。
【００３５】
発振器４をＯＳＣ（−）モードに切り換えてアナログ搬送波Ｓcaを受信・復調させた状態でのマルチパスノイズレベルをＬmp1とすると、マルチパスノイズレベルＬmp1がマルチパスノイズレベルＬmp0よりも小さければ、切り換えた後のＯＳＣ（−）モードの方がデジタル搬送波Ｓcdの受信状態が良好であると推定できるので、ＯＳＣ（−）モードを維持する。マルチパスノイズレベルＬmp1がマルチパスノイズレベルＬmp0よりも小さくなければ、切り換え前のＯＳＣ（＋）モードの方が好ましいので、制御部１３は、ＯＳＣ（＋）モードに戻すよう発振器４を制御する。
【００３６】
受信状態検出データとして隣接妨害レベルを用いた場合、隣接妨害レベルが所定のしきい値より大きければ、アナログ搬送波Ｓcaの受信が困難な状態であり、従って、デジタル搬送波Ｓcdの受信も困難な状態と推定できる。ある時点での隣接妨害レベルをＬusn0とし、隣接妨害レベルＬusn0が所定のしきい値より大きくなったら、制御部１３はＯＳＣ（＋）モードからＯＳＣ（−）モードに切り換えるよう発振器４を制御する。
【００３７】
発振器４をＯＳＣ（−）モードに切り換えてアナログ搬送波Ｓcaを受信・復調させた状態での隣接妨害レベルをＬmp1とすると、隣接妨害レベルＬmp1が隣接妨害レベルＬusn0よりも小さければ、切り換えた後のＯＳＣ（−）モードの方がデジタル搬送波Ｓcdの受信状態が良好であると推定できるので、ＯＳＣ（−）モードを維持する。隣接妨害レベルＬmp1が隣接妨害レベルＬusn0よりも小さくなければ、切り換え前のＯＳＣ（＋）モードの方が好ましいので、制御部１３は、ＯＳＣ（＋）モードに戻すよう発振器４を制御する。
【００３８】
受信状態検出データとしてＩＦカウント値を用いた場合、ＩＦカウント値が所定のしきい値より大きければ、アナログ搬送波Ｓcaの受信が困難な状態であり、従って、デジタル搬送波Ｓcdの受信も困難な状態と推定できる。ある時点でのＩＦカウント値をＩＦc0とし、ＩＦカウント値ＩＦc0が所定のしきい値より大きくなったら、制御部１３はＯＳＣ（＋）モードからＯＳＣ（−）モードに切り換えるよう発振器４を制御する。
【００３９】
発振器４をＯＳＣ（−）モードに切り換えてアナログ搬送波Ｓcaを受信・復調させた状態でのＩＦカウント値をＩＦc1とすると、ＩＦカウント値ＩＦc1がＩＦカウント値ＩＦc0よりも小さければ、切り換えた後のＯＳＣ（−）モードの方がデジタル搬送波Ｓcdの受信状態が良好であると推定できるので、ＯＳＣ（−）モードを維持する。ＩＦカウント値ＩＦc1がＩＦカウント値ＩＦc0よりも小さくなければ、切り換え前のＯＳＣ（＋）モードの方が好ましいので、制御部１３は、ＯＳＣ（＋）モードに戻すよう発振器４を制御する。
【００４０】
ＨＤラジオデコーダ３００によるデジタルラジオ放送の受信時に、制御部１３が以上説明したアナログ放送受信状態検出部７１から得られる受信状態検出データを用いて発振器４のＯＳＣモードを切り換えるのは、デジタル搬送波Ｓcdの受信状態を間接的に判定した判定結果に基づいている。デジタル搬送波Ｓcdの受信状態を直接的に判定して、発振器４のＯＳＣモードを切り換える方が好ましい。以下、デジタル搬送波Ｓcdの受信状態を直接的に判定する構成例について説明する。
【００４１】
図１において、ＨＤラジオデコーダ３００は、デジタル搬送波Ｓcdの受信状態を示す受信状態検出データを制御部１３に供給する。受信状態検出データは、例えば、デジタルラジオ放送をデコードして信号出力しているか否かを示すオーディオ・アクワイア（Audio-Acquire）、デジタルラジオ放送をデコードして信号出力している際の信号量（割合）を示すDAAI（Digital Audio Availability Indicator）、放送番組の種別を示すプログラムタイプ（PTY）、放送局名を示すSIS_CRC（Station Information Service_Cyclic Redundancy Check）、デジタルラジオ放送をデコードして信号出力している際のＳ／Ｎ（信号・ノイズ比）あるいはＣ／Ｎ（コード・ノイズ比）である。これらのデータはＨＤラジオデコーダ３００からセンサデータとして得ることができる。
【００４２】
制御部１３はＨＤラジオデコーダ３００からの受信状態検出データを所定時間毎に確認する。まず、受信状態検出データとしてオーディオ・アクワイアを用いた場合について説明すると、オーディオ・アクワイアがオンからオフになった場合は、デジタル搬送波Ｓcdの受信が困難な状態となったということである。ある時点でオーディオ・アクワイアがオフになったら、制御部１３はＯＳＣ（＋）モードからＯＳＣ（−）モードに切り換えるよう発振器４を制御する。
【００４３】
発振器４をＯＳＣ（−）モードに切り換えてデジタル搬送波Ｓcdを受信・復調させた状態でオーディオ・アクワイアがオンになれば、切り換えた後のＯＳＣ（−）モードの方がデジタル搬送波Ｓcdの受信状態が良好であるということであるので、ＯＳＣ（−）モードを維持する。ＯＳＣ（−）モードに切り換えてもオーディオ・アクワイアがオンにならなければ、切り換え前のＯＳＣ（＋）モードの方が好ましいので、制御部１３は、ＯＳＣ（＋）モードに戻すよう発振器４を制御する。
【００４４】
受信状態検出データとしてDAAIを用いた場合、DAAIが所定のしきい値より小さければデジタル搬送波Ｓcdの受信が困難な状態となったということである。ある時点でのDAAIをDAAI0とし、DAAI0が所定のしきい値より小さくなったら、制御部１３はＯＳＣ（＋）モードからＯＳＣ（−）モードに切り換えるよう発振器４を制御する。
【００４５】
発振器４をＯＳＣ（−）モードに切り換えてデジタル搬送波Ｓcdを受信・復調させた状態でのDAAIをDAAI1とすると、DAAI1がDAAI0よりも大きければ、切り換えた後のＯＳＣ（−）モードの方がデジタル搬送波Ｓcdの受信状態が良好であるということであるので、ＯＳＣ（−）モードを維持する。DAAI1がDAAI0よりも大きくなければ、切り換え前のＯＳＣ（＋）モードの方が好ましいので、制御部１３は、ＯＳＣ（＋）モードに戻すよう発振器４を制御する。
【００４６】
受信状態検出データとしてプログラムタイプを用いた場合、プログラムタイプがオンからオフになった場合は、デジタル搬送波Ｓcdの受信が困難な状態となったということである。ある時点でプログラムタイプがオフになったら、制御部１３はＯＳＣ（＋）モードからＯＳＣ（−）モードに切り換えるよう発振器４を制御する。
【００４７】
発振器４をＯＳＣ（−）モードに切り換えてデジタル搬送波Ｓcdを受信・復調させた状態でプログラムタイプがオンになれば、切り換えた後のＯＳＣ（−）モードの方がデジタル搬送波Ｓcdの受信状態が良好であるということであるので、ＯＳＣ（−）モードを維持する。ＯＳＣ（−）モードに切り換えてもプログラムタイプがオンにならなければ、切り換え前のＯＳＣ（＋）モードの方が好ましいので、制御部１３は、ＯＳＣ（＋）モードに戻すよう発振器４を制御する。
【００４８】
受信状態検出データとしてSIS_CRCを用いた場合、SIS_CRCがオンからオフになった場合は、デジタル搬送波Ｓcdの受信が困難な状態となったということである。ある時点でSIS_CRCがオフになったら、制御部１３はＯＳＣ（＋）モードからＯＳＣ（−）モードに切り換えるよう発振器４を制御する。
【００４９】
発振器４をＯＳＣ（−）モードに切り換えてデジタル搬送波Ｓcdを受信・復調させた状態でSIS_CRCがオンになれば、切り換えた後のＯＳＣ（−）モードの方がデジタル搬送波Ｓcdの受信状態が良好であるということであるので、ＯＳＣ（−）モードを維持する。ＯＳＣ（−）モードに切り換えてもSIS_CRCがオンにならなければ、切り換え前のＯＳＣ（＋）モードの方が好ましいので、制御部１３は、ＯＳＣ（＋）モードに戻すよう発振器４を制御する。
【００５０】
受信状態検出データとしてＳ／ＮあるいはＣ／Ｎを用いた場合、Ｓ／ＮあるいはＣ／Ｎが所定のしきい値より大きければデジタル搬送波Ｓcdの受信が困難な状態となったということである。ある時点でのＳ／Ｎ，Ｃ／ＮをＳＮ0，ＣＮ0とし、ＳＮ0，ＣＮ0が所定のしきい値より大きくなったら、制御部１３はＯＳＣ（＋）モードからＯＳＣ（−）モードに切り換えるよう発振器４を制御する。
【００５１】
発振器４をＯＳＣ（−）モードに切り換えてデジタル搬送波Ｓcdを受信・復調させた状態でのＳ／Ｎ，Ｃ／ＮをＳＮ1，ＣＮ1とすると、ＳＮ1，ＣＮ1がＳＮ0，ＣＮ0よりも小さければ、切り換えた後のＯＳＣ（−）モードの方がデジタル搬送波Ｓcdの受信状態が良好であるということであるので、ＯＳＣ（−）モードを維持する。ＳＮ1，ＣＮ1がＳＮ0，ＣＮ0よりも小さくなければ、切り換え前のＯＳＣ（＋）モードの方が好ましいので、制御部１３は、ＯＳＣ（＋）モードに戻すよう発振器４を制御する。
【００５２】
以上のように、本実施形態においては、アナログ放送受信状態検出部７１からの受信状態検出データとして、電界強度，マルチパスノイズレベル，隣接妨害レベル，ＩＦカウント値を用いてデジタルラジオ放送の受信が困難な状態であるか否かを判定し、デジタルラジオ放送の受信が困難な状態であると判定したときには、発振器４のＯＳＣモードを切り換える。また、ＨＤラジオデコーダ３００からの受信状態検出データとして、オーディオ・アクワイア，DAAI，プログラムタイプ，SIS_CRC，Ｓ／Ｎ，Ｃ／Ｎを用いてデジタルラジオ放送の受信が困難な状態であるか否かを判定し、デジタルラジオ放送の受信が困難な状態であると判定したときには、発振器４のＯＳＣモードを切り換える。
【００５３】
これらの複数の受信状態検出データの内の１つのみを用いてＯＳＣモードを切り換えるか否かを判断してもよいし、複数の受信状態検出データを組み合わせてＯＳＣモードを切り換えるか否かを判断してもよい。アナログ放送受信状態検出部７１からの受信状態検出データとＨＤラジオデコーダ３００からの受信状態検出データとを組み合わせてもよい。なお、ミキサ３はＩＦ信号を生成する際の計算方法を発振器４のＯＳＣモードに応じて切り換える。
【００５４】
前述のように、アナログ放送受信状態検出部７１からの受信状態検出データを用いるよりもＨＤラジオデコーダ３００からの受信状態検出データを用いる方が好ましい。SIS_CRCはデジタルラジオ放送の受信が不可能になる以前にオンからオフに切り換わることが多く、Ｓ／Ｎ，Ｃ／Ｎは、デジタルラジオ放送の受信状態に応じて順次悪化することから、デジタルラジオ放送の受信が困難になり始めた段階でＯＳＣモードを切り換えることができる。従って、ＨＤラジオデコーダ３００からの受信状態検出データの中でもSIS_CRCとＳ／Ｎ，Ｃ／Ｎを用いることは特に好ましい。SIS_CRCとＳ／Ｎ，Ｃ／Ｎとの双方を用いてもよいし、いずれか一方のみを用いてもよい。
【００５５】
次に、図４を用いてＯＳＣモードの切り換え動作についてさらに説明する。図４（Ａ）に示すように、図１に示す本実施形態のラジオ放送受信機がＯＳＣ（＋）モードで動作していてデジタル搬送波Ｓcdの受信状態が悪化し始めた時刻ｔ１で前述のように制御部１３がＯＳＣモードの切り換えるべきであると判断すると、制御部１３は、図４（Ｂ）に示すように、ＨＤラジオデコーダ３００からミキサ９３へのデータ出力を一時的に減衰させるよう減衰器９１を制御する。減衰器９１は減衰度を最大にして信号レベルを０にするよう減衰させることが好ましい。これは、ＯＳＣモードを切り換える際に発生したノイズがバックエンド集積回路２００から出力させない方が好ましいからである。時刻ｔ２にてＯＳＣ（＋）モードからＯＳＣ（−）モードへの切り換えを開始したとすると、斜線を付して示す切り換え開始直後にノイズが発生するので、ノイズ発生期間が減衰器９１における減衰期間に収まるようにすることが好ましい。
【００５６】
図４（Ｃ）は、ＯＳＣモードを切り換えることによってデジタル搬送波Ｓcdの受信状態が改善された場合の効果を説明するための図であり、ミキサ９３からデータ出力を示している。ＯＳＣモードを切り換えなければ、ＨＤラジオデコーダ３００からのオーディデータＳdd1は時刻ｔ１の後さほどの時間の経過なくデータ出力が得られなくなる。従って、破線で示すように時刻ｔ１の後、比較的短い時間の内にオーディデータＳdd1をフェードアウトしなければならない。ＯＳＣモードを切り換えることによって、ＨＤラジオデコーダ３００からのオーディオデータＳdd1は時刻ｔ１の後しばらくの期間引き続きデータ出力が得られる。従って、オーディオデータＳdd1に基づく音声信号の出力がしばらく維持されることとなる。その後、ＨＤラジオデコーダ３００から出力される検出信号Ｓddetがローとなり、アナログ放送復調部７によって復調したオーディオデータＳad1へと切り換わる。
【００５７】
ところで、図４（Ａ）に示す時刻ｔ２以降のＯＳＣモードを切り換えた直後はデジタル搬送波Ｓcdの受信・復調がなされないため、ＨＤラジオデコーダ３００にはオーディオデータＳdd1を生成するための信号が一時的に供給されないこととなる。しかしながら、前述のように、ＨＤラジオデコーダ３００の信号処理部３０２はメモリ３０２１に所定期間のオーディオデータＳdd1を保持して出力するようになっているので、ＨＤラジオデコーダ３００からオーディオデータＳdd1の出力が途切れることはない。
【００５８】
図４（Ｄ）は、ＯＳＣモードをＯＳＣ（＋）モードからＯＳＣ（−）モードへと切り換えた後、デジタル搬送波Ｓcdの受信状態が改善されず、ＯＳＣ（＋）モードに戻す場合の動作を示している。この場合、図４（Ｅ）に示すように、ＯＳＣ（＋）モードからＯＳＣ（−）モードへの切り換え時及びＯＳＣ（−）モードからＯＳＣ（＋）モードへの切り換え時双方で、制御部１３は、ＨＤラジオデコーダ３００からミキサ９３への信号出力を一時的に減衰させるよう減衰器９１を制御する。
【００５９】
以上説明した図４においては、制御部１３が、デジタル搬送波Ｓcdの受信状態が悪化し始めたらＯＳＣモードの切り換えるよう制御すると説明したが、ＯＳＣモードの切り換えタイミングは特に限定されるものではない。デジタル搬送波Ｓcdの受信状態が比較的良好でも悪化することが予想される状態となったらＯＳＣモードの切り換えるよう制御してもよい。デジタル搬送波Ｓcdの受信・復調中に受信状態検出データに基づいてデジタル搬送波Ｓcdの受信状態を判定し、受信状態の判定結果に基づいてＯＳＣモードを切り換えればよい。また、デジタル搬送波Ｓcdの受信状態が良好な状態においても、ＯＳＣモードを適宜切り換えてＯＳＣ（＋）モードとＯＳＣ（−）モードとのいずれがよりよいのかを判定するようにしてもよい。
【００６０】
ところで、図１においては、制御部１３は、デジタルラジオ放送の受信状態を判定し、判定結果に基づいて発振器４のＯＳＣモードを切り換え、さらに減衰器９１も制御するように構成しているが、これらの判定や制御を複数の制御部で行ってもよい。本発明は以上説明した本実施形態に限定されるものではなく、本発明の要旨を逸脱しない範囲において種々変更可能である。
【符号の説明】
【００６１】
３，９３  ミキサ
４  発振器
５  バンドパスフィルタ
７  アナログ放送復調部
９  スイッチ部
１３  制御部
７１  アナログ放送受信状態検出部
９１，９２  減衰器
１００  フロントエンド集積回路（ローＩＦチューナ）
２００  バックエンド集積回路
３００  ＨＤラジオデコーダ
【図１】
2010177790.tif 000003
【図２】
2010177790.tif 000004
【図３】
2010177790.tif 000005
【図４】
2010177790.tif 000006